(57)【要約】【課題】画像処理装置に対する操作を行ったユーザーを判別可能な画像処理システム、画像処理装置及びプログラムを提供する。【解決手段】  画像処理システム１を構成する画像処理装置２は、ユーザーにより装着されると共にユーザーの動作を検知して動作情報５０を取得する情報処理端末３と通信を行い、動作情報５０を情報処理端末３から取得し、接触操作可能な操作部７ａと、操作部７ａに対する操作を検知する操作検知部３２と、操作検知部３２により操作部７ａに対する操作が検知された場合に、動作情報５０に基づいて情報処理端末３を装着したユーザーが操作部７ａに対する操作を行った否かを判別する判別部３４を備える。【選択図】図２
2018157354.tif 000002
【特許請求の範囲】
【請求項１】
接触操作可能な操作部を備える画像処理装置と、前記画像処理装置と通信可能であって、ユーザーにより装着される情報処理端末とを備える画像処理システムであって、
前記情報処理端末は、
ユーザーの身体の動作を検知して動作情報を取得する動作情報取得手段と、
前記動作情報を前記画像処理装置に送信する送信手段と、
を備え、
前記画像処理装置は、
前記操作部に対する操作を検知する操作検知手段と、
前記操作検知手段により前記操作部に対する操作が検知された場合に、前記動作情報に基づいて、前記情報処理端末を装着したユーザーが前記操作部に対する操作を行ったか否かを判別する判別手段と、
を備えることを特徴とする画像処理システム。
【請求項２】
複数のユーザーにより複数の前記情報処理端末が各々装着され、
前記画像処理装置は、
複数の前記情報処理端末から取得する前記動作情報を各々管理する動作情報管理手段、
をさらに備え、
前記判別手段は、前記操作部に対する操作が検知された場合に、前記動作情報管理手段により管理される複数の前記動作情報を参照して、複数の前記情報処理端末のうち一の前記情報処理端末を装着したユーザーが前記操作部に対する操作を行ったと判別することを特徴とする請求項１に記載の画像処理システム。
【請求項３】
前記画像処理装置は、
前記判別手段により前記動作情報に基づいて複数のユーザーが前記操作部に対する操作を行ったと判別される場合に、前記複数のユーザーが装着する前記情報処理端末に対して所定動作を要求する動作要求手段、
をさらに備え、
前記情報処理端末は、
振動手段と、
前記画像処理装置から前記所定動作の要求を受信すると、前記振動手段を振動させる振動生成手段と、
をさらに備え、
前記操作検知手段は、前記操作部における操作軌跡を検知し、
前記判別手段は、前記動作要求手段により前記情報処理端末に対して所定動作が要求された場合に、前記操作検知手段により検知される前記操作軌跡と、前記動作情報とに基づいて、前記操作部に対する操作を行ったユーザーを判別することを特徴とする請求項２に記載の画像処理システム。
【請求項４】
前記操作部は画像を表示可能であり、
前記画像処理装置は、
前記判別手段により前記動作情報に基づいて複数のユーザーが前記操作部に対する操作を行ったと判別された場合に、前記操作部に動作指示画像を表示させる表示制御手段、
をさらに備え、
前記判別手段は、複数の前記情報処理端末のうち、前記動作指示画像に応じた前記動作情報を送信する前記情報処理端末を装着するユーザーが操作を行ったと判別することを特徴とする請求項２又は３に記載の画像処理システム。
【請求項５】
前記画像処理装置は、
予めユーザーと操作権限とを対応付ける権限情報を記憶する記憶手段と、
前記記憶手段に記憶されている前記権限情報に基づいて、前記操作部に対する操作に応じた処理を許可するか否かを判定する許可判定手段と、
をさらに備え、
前記許可判定手段は、前記操作部に対する操作を行ったユーザーが判別されると、前記権限情報に基づいて前記操作部に対する操作に応じた処理を許可するか否かを判定することを特徴とする請求項１乃至４のいずれかに記載の画像処理システム。
【請求項６】
前記許可判定手段は、前記操作部に対する操作を行ったユーザーが判別されない場合に、前記操作部に対する操作に応じた処理を許可しないことを特徴とする請求項５に記載の画像処理システム。
【請求項７】
ユーザーにより装着され、ユーザーの身体の動作を検知して動作情報を取得する情報処理端末と通信可能であると共に、前記情報処理端末から前記動作情報を取得可能な画像処理装置であって、
接触操作可能な操作部と、
前記操作部に対する操作を検知する操作検知手段と、
前記操作検知手段により前記操作部に対する操作が検知された場合に、前記動作情報に基づいて前記情報処理端末を装着したユーザーが前記操作部に対する操作を行ったか否かを判別する判別手段と、
を備えることを特徴とする画像処理装置。
【請求項８】
複数のユーザーにより複数の前記情報処理端末が各々装着され、
複数の前記情報処理端末から取得する前記動作情報を各々管理する動作情報管理手段、
をさらに備え、
前記判別手段は、前記操作部に対する操作が検知された場合に、前記動作情報管理手段により管理される複数の前記動作情報を参照して、複数の前記情報処理端末のうち一の前記情報処理端末を装着したユーザーが前記操作部に対する操作を行ったと判別することを特徴とする請求項７に記載の画像処理装置。
【請求項９】
前記判別手段により前記動作情報に基づいて複数のユーザーが前記操作部に対する操作を行ったと判別された場合に、前記複数のユーザーが装着する前記情報処理端末に対して所定動作を要求する動作要求手段、
をさらに備え、
前記操作検知手段は、前記操作部における操作軌跡を検知し、
前記判別手段は、前記動作要求手段により前記情報処理端末に対して所定動作が要求された場合に、前記操作検知手段により検知される前記操作軌跡と、前記動作情報とに基づいて、前記操作部に対する操作を行ったユーザーを判別することを特徴とする請求項８に記載の画像処理装置。
【請求項１０】
前記操作部は、画像を表示可能であり、
前記判別手段により前記動作情報に基づいて複数のユーザーが前記操作部に対する操作を行ったと判別された場合に、前記操作部に動作指示画像を表示させる表示制御手段、
をさらに備え、
前記判別手段は、複数の前記情報処理端末のうち、前記動作指示画像に応じた前記動作情報を送信する前記情報処理端末を装着するユーザーが操作を行ったと判別することを特徴とする請求項８又は９に記載の画像処理装置。
【請求項１１】
予めユーザーと操作権限とを対応付ける権限情報を記憶する記臆手段と、
前記記憶手段に記憶されている前記権限情報に基づいて、前記操作部に対する操作に応じた処理を許可するか否かを判定する許可判定手段と、
をさらに備え、
前記許可判定手段は、前記操作部に対する操作を行ったユーザーが判別されると、前記権限情報に基づいて前記操作部に対する操作に応じた処理を許可するか否かを判定することを特徴とする請求項７乃至１０のいずれかに記載の画像処理装置。
【請求項１２】
前記許可判定手段は、前記操作部に対する操作を行ったユーザーが判別されない場合に、前記操作部に対する操作に応じた処理を許可しないことを特徴とする請求項１１に記載の画像処理装置。
【請求項１３】
ユーザーにより装着され、ユーザーの進退の動作を検知して動作情報を取得する情報処理端末と通信可能であると共に、前記情報処理端末から前記動作情報を取得可能な画像処理装置において実行されるプログラムであって、
前記画像処理装置を、
接触操作可能な操作部に対する操作を検知する操作検知手段、及び、
前記操作検知手段により前記操作部に対する操作が検知された場合に、前記動作情報に基づいて前記情報処理端末を装着したユーザーが前記操作部に対する操作を行った否かを判別する判別手段、
として機能させることを特徴とするプログラム。
【請求項１４】
前記画像処理装置を、
複数の前記情報処理端末から取得する前記動作情報を各々管理する動作情報管理手段、
としてさらに機能させ、
前記判別手段は、前記操作部に対する操作が検知された場合に、前記動作情報管理手段により管理される複数の前記動作情報を参照して、複数の前記情報処理端末のうち一の前記情報処理端末を装着したユーザーが前記操作部に対する操作を行ったと判別することを特徴とする請求項１３に記載のプログラム。
【請求項１５】
前記画像処理装置を、
前記判別手段により前記動作情報に基づいて複数のユーザーが前記操作部に対する操作を行ったと判別された場合に、前記複数のユーザーが装着する前記情報処理端末に対して所定動作を要求する動作要求手段、
としてさらに機能させ、
前記操作検知手段は、前記操作部における操作軌跡を検知し、
前記判別手段は、前記動作要求手段により前記情報処理端末に対して所定動作が要求された場合に、前記操作検知手段により検知される前記操作軌跡と、前記動作情報とに基づいて、前記操作部に対する操作を行ったユーザーを判別することを特徴とする請求項１４に記載のプログラム。
【請求項１６】
前記操作部は画像表示可能であり、
前記画像処理装置を、
前記判別手段により、前記動作情報に基づいて、複数のユーザーが前記操作部に対する操作を行ったと判別された場合に、前記操作部に動作指示画像を表示させる表示制御手段、
としてさらに機能させ、
前記判別手段は、複数の前記情報処理端末のうち、前記動作指示画像に応じた前記動作情報を送信する前記情報処理端末を装着するユーザーが操作を行ったと判別することを特徴とする請求項１４又は１５に記載のプログラム。
【発明の詳細な説明】
【技術分野】
【０００１】
本発明は、画像処理システム、画像処理装置及びプログラムに関し、特に画像処理装置に対する操作を検知する技術に関する。
【背景技術】
【０００２】
従来、ユーザーは画像処理装置の操作ボタンを操作することにより、所望の処理を実行させることが可能である。また、操作検知センサーなどを搭載する表示パネルを備え、表示パネルの画面内に操作ボタン画像などを表示させ、ユーザーに画面内に表示される操作ボタン画像などを操作させることにより処理を実行可能な画像処理装置が提供されている。
【０００３】
近時、情報管理に対する意識が高まり、いずれのユーザーにより画像処理装置が操作されているのか、或いは操作されたのかを判別する必要が生じている。ところで、加速度センサーを搭載した通話端末と、タッチパネルを備える情報処理端末とをペアリングする方法において、通話端末の振動を情報処理端末が検知してペアリングを行う技術が提供されている（特許文献１）。
【先行技術文献】
【特許文献】
【０００４】
【特許文献１】特開２０１０−５６６４２号公報
【発明の概要】
【発明が解決しようとする課題】
【０００５】
特許文献１に示されるペアリング方法によると、情報処理端末の指示に応じて通話端末を振動させることにより、情報処理端末と通話端末とをペアリングすることが可能である。しかし、このようなペアリング方法を適用しても、ユーザーと画像処理装置とがペアリングされていない状態において、いずれのユーザーにより画像処理装置が操作されたのかを判別することはできない。
【０００６】
そこで本発明は、上記の問題点を解決するためになされたものであり、画像処理装置に対する操作を行ったユーザーを判別可能な画像処理システム、画像処理装置及びプログラムを提供することを目的とする。
【課題を解決するための手段】
【０００７】
上記目的を達成するため、請求項１の発明は、接触操作可能な操作部を備える画像処理装置と、前記画像処理装置と通信可能であって、ユーザーにより装着される情報処理端末とを備える画像処理システムであって、前記情報処理端末は、ユーザーの身体の動作を検知して動作情報を取得する動作情報取得手段と、前記動作情報を前記画像処理装置に送信する送信手段とを備え、前記画像処理装置は、前記操作部に対する操作を検知する操作検知手段と、前記操作検知手段により前記操作部に対する操作が検知された場合に、前記動作情報に基づいて、前記情報処理端末を装着したユーザーが前記操作部に対する操作を行ったか否かを判別する判別手段とを備えることを特徴とする構成である。
【０００８】
請求項２の発明は、請求項１に記載の画像処理システムにおいて、複数のユーザーにより複数の前記情報処理端末が各々装着され、前記画像処理装置は、複数の前記情報処理端末から取得する前記動作情報を各々管理する動作情報管理手段をさらに備え、前記判別手段は、前記操作部に対する操作が検知された場合に、前記動作情報管理手段により管理される複数の前記動作情報を参照して、複数の前記情報処理端末のうち一の前記情報処理端末を装着したユーザーが前記操作部に対する操作を行ったと判別することを特徴とする構成である。
【０００９】
請求項３の発明は、請求項２に記載の画像処理システムにおいて、前記画像処理装置は、前記判別手段により前記動作情報に基づいて複数のユーザーが前記操作部に対する操作を行ったと判別される場合に、前記複数のユーザーが装着する前記情報処理端末に対して所定動作を要求する動作要求手段をさらに備え、前記情報処理端末は、振動手段と、前記画像処理装置から前記所定動作の要求を受信すると、前記振動手段を振動させる振動生成手段とをさらに備え、前記操作検知手段は、前記操作部における操作軌跡を検知し、前記判別手段は、前記動作要求手段により前記情報処理端末に対して所定動作が要求された場合に、前記操作検知手段により検知される前記操作軌跡と、前記動作情報とに基づいて、前記操作部に対する操作を行ったユーザーを判別することを特徴とする構成である。
【００１０】
請求項４の発明は、請求項２又は３に記載の画像処理システムにおいて、前記操作部は画像を表示可能であり、前記画像処理装置は、前記判別手段により前記動作情報に基づいて複数のユーザーが前記操作部に対する操作を行ったと判別された場合に、前記操作部に動作指示画像を表示させる表示制御手段をさらに備え、前記判別手段は、複数の前記情報処理端末のうち、前記動作指示画像に応じた前記動作情報を送信する前記情報処理端末を装着するユーザーが操作を行ったと判別することを特徴とする構成である。
【００１１】
請求項５の発明は、請求項１乃至４のいずれかに記載の画像処理システムにおいて、前記画像処理装置は、予めユーザーと操作権限とを対応付ける権限情報を記憶する記憶手段と、前記記憶手段に記憶されている前記権限情報に基づいて、前記操作部に対する操作に応じた処理を許可するか否かを判定する許可判定手段とをさらに備え、前記許可判定手段は、前記操作部に対する操作を行ったユーザーが判別されると、前記権限情報に基づいて前記操作部に対する操作に応じた処理を許可するか否かを判定することを特徴とする構成である。
【００１２】
請求項６の発明は、請求項５に記載の画像処理システムにおいて、前記許可判定手段は、前記操作部に対する操作を行ったユーザーが判別されない場合に、前記操作部に対する操作に応じた処理を許可しないことを特徴とする構成である。
【００１３】
請求項７の発明は、ユーザーにより装着され、ユーザーの身体の動作を検知して動作情報を取得する情報処理端末と通信可能であると共に、前記情報処理端末から前記動作情報を取得可能な画像処理装置であって、接触操作可能な操作部と、前記操作部に対する操作を検知する操作検知手段と、前記操作検知手段により前記操作部に対する操作が検知された場合に、前記動作情報に基づいて前記情報処理端末を装着したユーザーが前記操作部に対する操作を行ったか否かを判別する判別手段とを備えることを特徴とする構成である。
【００１４】
請求項８の発明は、請求項７に記載の画像処理装置において、複数のユーザーにより複数の前記情報処理端末が各々装着され、複数の前記情報処理端末から取得する前記動作情報を各々管理する動作情報管理手段をさらに備え、前記判別手段は、前記操作部に対する操作が検知された場合に、前記動作情報管理手段により管理される複数の前記動作情報を参照して、複数の前記情報処理端末のうち一の前記情報処理端末を装着したユーザーが前記操作部に対する操作を行ったと判別することを特徴とする構成である。
【００１５】
請求項９の発明は、請求項８に記載の画像処理装置において、前記判別手段により前記動作情報に基づいて複数のユーザーが前記操作部に対する操作を行ったと判別された場合に、前記複数のユーザーが装着する前記情報処理端末に対して所定動作を要求する動作要求手段をさらに備え、前記操作検知手段は、前記操作部における操作軌跡を検知し、前記判別手段は、前記動作要求手段により前記情報処理端末に対して所定動作が要求された場合に、前記操作検知手段により検知される前記操作軌跡と、前記動作情報とに基づいて、前記操作部に対する操作を行ったユーザーを判別することを特徴とする構成である。
【００１６】
請求項１０の発明は、請求項８又は９に記載の画像処理装置において、前記操作部は、画像を表示可能であり、前記判別手段により前記動作情報に基づいて複数のユーザーが前記操作部に対する操作を行ったと判別された場合に、前記操作部に動作指示画像を表示させる表示制御手段をさらに備え、前記判別手段は、複数の前記情報処理端末のうち、前記動作指示画像に応じた前記動作情報を送信する前記情報処理端末を装着するユーザーが操作を行ったと判別することを特徴とする構成である。
【００１７】
請求項１１の発明は、請求項７乃至１０のいずれかに記載の画像処理装置において、予めユーザーと操作権限とを対応付ける権限情報を記憶する記臆手段と、前記記憶手段に記憶されている前記権限情報に基づいて、前記操作部に対する操作に応じた処理を許可するか否かを判定する許可判定手段とをさらに備え、前記許可判定手段は、前記操作部に対する操作を行ったユーザーが判別されると、前記権限情報に基づいて前記操作部に対する操作に応じた処理を許可するか否かを判定することを特徴とする構成である。
【００１８】
請求項１２の発明は、請求項１１に記載の画像処理装置において、前記許可判定手段は、前記操作部に対する操作を行ったユーザーが判別されない場合に、前記操作部に対する操作に応じた処理を許可しないことを特徴とする構成である。
【００１９】
請求項１３の発明は、ユーザーにより装着され、ユーザーの進退の動作を検知して動作情報を取得する情報処理端末と通信可能であると共に、前記情報処理端末から前記動作情報を取得可能な画像処理装置において実行されるプログラムであって、前記画像処理装置を、接触操作可能な操作部に対する操作を検知する操作検知手段と、前記操作検知手段により前記操作部に対する操作が検知された場合に、前記動作情報に基づいて前記情報処理端末を装着したユーザーが前記操作部に対する操作を行った否かを判別する判別手段として機能させることを特徴とする構成である。
【００２０】
請求項１４の発明は、請求項１３に記載のプログラムにおいて、前記画像処理装置を、複数の前記情報処理端末から取得する前記動作情報を各々管理する動作情報管理手段としてさらに機能させ、前記判別手段は、前記操作部に対する操作が検知された場合に、前記動作情報管理手段により管理される複数の前記動作情報を参照して、複数の前記情報処理端末のうち一の前記情報処理端末を装着したユーザーが前記操作部に対する操作を行ったと判別することを特徴とする構成である。
【００２１】
請求項１５の発明は、請求項１４に記載のプログラムにおいて、前記画像処理装置を、前記判別手段により前記動作情報に基づいて複数のユーザーが前記操作部に対する操作を行ったと判別された場合に、前記複数のユーザーが装着する前記情報処理端末に対して所定動作を要求する動作要求手段としてさらに機能させ、前記操作検知手段は、前記操作部における操作軌跡を検知し、前記判別手段は、前記動作要求手段により前記情報処理端末に対して所定動作が要求された場合に、前記操作検知手段により検知される前記操作軌跡と、前記動作情報とに基づいて、前記操作部に対する操作を行ったユーザーを判別することを特徴とする構成である。
【００２２】
請求項１６の発明は、請求項１４又は１５に記載のプログラムにおいて、前記操作部は画像を表示可能であり、前記画像処理装置を、前記判別手段により、前記動作情報に基づいて、複数のユーザーが前記操作部に対する操作を行ったと判別された場合に、前記操作部に動作指示画像を表示させる表示制御手段としてさらに機能させ、前記判別手段は、複数の前記情報処理端末のうち、前記動作指示画像に応じた前記動作情報を送信する前記情報処理端末を装着するユーザーが操作を行ったと判別することを特徴とする構成である。
【発明の効果】
【００２３】
本発明によれば、画像処理装置に対する操作を行ったユーザーを判別することが可能となる。
【図面の簡単な説明】
【００２４】
【図１】本発明の実施形態における画像処理システムの構成例を示す図である。
【図２】本発明の実施形態における画像処理装置のハードウェア構成及び機能構成の一例を示すブロック図である。
【図３】権限情報の構成の一例を示す図である。
【図４】動作情報により示される動作の一例を示す図である。
【図５】動作指示画像の表示態様の一例を示す図である。
【図６】認証が行われる際の画面構成の一例を示す図である。
【図７】本発明の実施形態における情報処理端末のハードウェア構成及び機能構成の一例を示すブロック図である。
【図８】情報処理端末による方位認識の一例を示す概念図である。
【図９】画像処理装置２のタッチパネルの一例を示す図である。
【図１０】本発明の実施形態の画像処理装置において実行される主要な処理手順の一例を示すフローチャートである。
【図１１】画像処理装置において実行されるログイン処理の具体的な処理手順の一例を示すフローチャートである。
【図１２】画像処理装置において実行される操作検知処理の具体的な処理手順の一例を示すフローチャートである。
【図１３】画像処理装置において実行される追加動作情報要求処理の具体的な処理手順の一例を示すフローチャートである。
【図１４】画像処理装置において実行される許可処理の具体的な処理手順の一例を示すフローチャートである。
【図１５】本発明の実施形態の情報処理端末において実行される処理手順の一例を示すフローチャートである。
【発明を実施するための形態】
【００２５】
以下、本発明に関する好ましい実施形態を、図面を参照しつつ詳細に説明する。なお、以下に説明する実施形態において、互いに共通する部材には同一符号を付しており、それらについての重複する説明は省略する。
【００２６】
図１は、本発明の一実施形態における画像処理システム１の構成例を示す図である。画像処理システム１は、接触による操作可能な画像処理装置２と、画像処理装置２と通信可能な情報処理端末３とを備える。
【００２７】
画像処理装置２は、画像を表示可能であると共に、ユーザーの操作を検知可能なタッチパネル７を備える。タッチパネル７は、液晶ディスプレイなどで構成される表示部７ｂと、各種操作を受け付け、表示画面上に配置されるタッチパネルセンサーなどで構成される操作部７ａとを備える。本実施形態において、ユーザーはタッチパネル７に接触して操作を行うことにより、画像処理装置２に所定の処理を実行させることが可能である。画像処理装置２はまた、画像等を印刷出力するプリント機能やスキャン機能を備えてもよい。
【００２８】
情報処理端末３は、ユーザーの動作、特にユーザーの手の動作を検知して動作情報５０を出力可能な装置である。例えば情報処理端末３は、互いに直交する３軸方向の加速度を検知する加速度センサー６６を搭載する端末であり、ユーザーの身体に装着されることにより、ユーザーの動作を検知して動作情報５０を取得可能である。情報処理端末３と画像処理装置２とは無線通信によりデータの送受信が可能である。図１の例では、複数のユーザーＡ、ユーザーＢ及びユーザーＣが情報処理端末３ａ、３ｂ及び３ｃを装着する場合を示す。なお、本発明はこれに限られるものではなく、１人のユーザーが情報処理端末３を装着する場合を含む。
【００２９】
動作情報５０は、ユーザーの身体の動静を時間の経過に沿って記録する情報である。本実施形態において情報処理端末３は、ユーザーの動作情報５０を記憶部６２に記憶する。情報処理端末３は、ユーザーの腕、殊にタッチパネル７に対する操作を行う場合の動作を良好に検知可能な手首などに装着されるのが好ましい。情報処理端末３は、加速度センサー６６により検知される所定方向への加速度に基づいて動作情報５０を取得する。また、情報処理端末３は、３軸方向の加速度に基づいて所定方向の加速度を算出し、所定方向の加速度成分のみからなる動作情報５０を取得するようにしてもよい。例えば情報処理端末３には、地磁気センサーが内蔵されており、その地磁気センサーの出力に基づいて加速度センサー６６の現在の姿勢を検知し、加速度センサー６６から出力される３軸方向の加速度から所定方向の加速度成分を算出するようにすればよい。これにより、例えば上下方向の加速度や水平方向の加速度成分を算出するようにすればよい。これにより、例えば上下方向の加速度や水平方向の加速度などを含む動作情報５０を取得することができる。情報処理端末３は、画像処理装置２から動作情報５０の要求を受信すると、記憶部６２に記憶している動作情報５０を画像処理装置２に送信する。
【００３０】
画像処理装置２は、タッチパネル７に対する操作を検知すると、情報処理端末３ａ、３ｂ、３ｃに対して動作情報５０を要求する。画像処理装置２からの動作情報５０の要求を受信すると、情報処理端末３ａ、３ｂ、３ｃは、記憶部６２に記憶する動作情報５０を画像処理装置２に送信する。画像処理装置２は、動作情報５０を情報処理端末３ａ、３ｂ、３ｃから受信すると、動作情報５０に基づいてタッチパネル７に対する操作を行ったユーザーを判別する。すなわち画像処理装置２は、タッチパネル７に対する操作を検知したタイミングに応じた動作を示す動作情報５０を検出して、この動作情報５０を送信した情報処理端末３を装着するユーザーが操作を行ったと判別するのである。
【００３１】
本実施形態における画像処理装置２は、ユーザー毎に許可される操作の内容を予め記憶する。具体的には、画像処理装置２は、ユーザーと許可される操作権限とを対応付ける権限情報５２を予め記憶部１２に記憶する。動作情報５０に基づいてタッチパネル７に対する操作を行ったユーザーが判別されると、画像処理装置２は権限情報５２を参照して、検知された操作内容が当該ユーザーに許可されているのか否かを判定する。検知された操作内容がユーザーに許可されている場合、画像処理装置２は操作に応じた処理を実行する。これに対して、検出された操作内容がユーザーに許可されていない場合、画像処理装置２は操作に応じた処理を実行しない。これにより、操作権限を有しないユーザーによる操作に基づく処理が実行されるのを防止することができる。
【００３２】
画像処理装置２は、タッチパネル７のほか、所定の処理を実行させるための操作ボタンを備える。操作ボタンへの操作が検知されると、画像処理装置２は、タッチパネル７への操作が検知される場合と同様に、情報処理端末３から動作情報５０を取得して、操作を行ったユーザーを判別可能である。
【００３３】
次に、本実施形態における画像処理システム１を構成する画像処理装置２及び情報処理端末３の各々の構成を説明する。図２は、画像処理装置２のハードウェア構成及び機能構成の一例を示すブロック図である。画像処理装置２は、タッチパネル７と、ＣＰＵ１０と、ハードディスクドライブ（ＨＤＤ）などにより構成される記憶部１２と、情報処理端末３など外部デバイスとの通信におけるインタフェースになる通信インタフェース１６と、印刷出力を実行可能なプリンタ部２０とを備える。画像処理装置２はまた、地磁気センサーなどにより構成される方位検知部１４を備えてもよい。
【００３４】
ＣＰＵ１０は、予め記憶部１２に格納されている図示しない制御プログラムを実行することにより、動作情報５０を管理する動作情報管理部３０と、タッチパネルに対する操作を検知する操作検知部３２と、操作を行ったユーザーを判別する判別部３４と、操作に応じた処理を許可するか否か判定する許可決定部３６と、操作に応じた処理を実行するジョブ実行部３８と、情報処理端末３に対して所定の動作の実行を要求する動作要求部４０と、表示部７ｂにおける画像等の表示を制御する表示制御部４２とを備える。記憶部１２は、情報処理端末３から受信した動作情報５０と、権限情報５２とを記憶する。
【００３５】
図３は、権限情報５２の構成の一例を示す図である。権限情報５２は、登録されているユーザーと、各ユーザーに許可される操作権限とを対応付ける。図例では、表示部７ｂに表示させる画像データ毎に許可される操作権限を規定する。画像処理装置２は、検知した操作が権限情報５２により許可された操作権限に該当する場合、操作に応じた処理を実行する。他方、検知した操作が権限情報５２により許可された操作権限に該当しない場合、操作に応じた処理を実行しない。この場合、画像処理装置２は、表示部７ｂに操作に応じた処理を実行しない旨の報知画像を表示させてもよい。なお、権限情報５２は、登録されているユーザー以外のゲストユーザーに対して許可される操作権限を規定してもよい。
【００３６】
図２に戻り、動作情報管理部３０は、情報処理端末３から受信する動作情報５０を管理する処理部である。動作情報管理部３０は、情報処理端末３から動作情報５０を受信すると、記憶部１２に格納する。情報処理端末３ａ、３ｂ、３ｃのそれぞれから動作情報５０を受信する場合、各々記憶部１２に格納して管理する。
【００３７】
本実施形態において、動作情報管理部３０は、操作検知部３２により操作部７ａに対する操作が検知されると、通信可能な情報処理端末３に対して動作情報５０の要求を送信する。要求に応じて情報処理端末３から送信された動作情報５０を受信すると、動作情報管理部３０は記憶部１２に格納する。
【００３８】
これとは異なり、動作情報管理部３０は、情報処理端末３に対して動作情報５０の要求を実行しなくともよい。一例として、情報処理端末３は、所定時間毎に画像処理装置２に対して動作情報５０を送信してもよい。この場合、動作情報管理部３０は、情報処理端末３から動作情報５０を受信すると、記憶部１２に記憶されている動作情報５０を更新させる。或いは、記憶部１２に記憶されている動作情報５０を消去して、情報処理端末３から受信した動作情報５０を記憶部１２に格納してもよい。さらにこれらとは異なり、情報処理端末３は、動作情報５０を取得する毎に画像処理装置２に対して送信し、画像処理装置２はリアルタイムでユーザーの動作を示す動作情報５０を取得してもよい。この場合、動作情報管理部３０は、動作情報５０を取得する毎に記憶部１２に格納すると共に、記憶部１２に記憶されてから所定時間を経過した動作情報５０を消去してもよい。これにより、画像処理装置２は最新のユーザーの動作を示す動作情報５０を保持すると共に、時間が経過して古くなった動作情報５０を消去することにより、動作情報５０のデータ量が増大するのを抑止できるのである。
【００３９】
操作検知部３２は、操作部７ａに対する操作を検知する処理部である。ユーザーがタッチパネル７に接触して操作部７ａの操作を行うと、操作検知部３２はこれを検知する。本実施形態において操作検知部３２により操作が検知されると、動作情報管理部３０は情報処理端末３に対して動作情報５０を要求する。
【００４０】
情報処理端末３から動作情報５０を受信し、記憶部１２に格納されると、判別部３４が機能する。判別部３４は、操作検知部３２に対する操作が検知された場合に、動作情報５０に基づいて、情報処理端末３を装着したユーザーが操作部７ａに対する操作を行ったか否かを判別する処理部である。図４は、動作情報５０において示されるユーザーの動作を表す図である。図４の動作情報５０の例は、上下方向に対する情報処理端末３にかかる加速度（ａ）を、時間（ｔ）毎に検知したものである。図４（ａ）の例では、ユーザーは上方向に対して動作を開始した後に動作を一旦停止し、停止後に上方向とは反対方向に動作を開始し、タイミングｔ１において動作を停止している。図４（ｂ）ではこれとは異なり、上方向への動作と反対方向への動作を複数回繰り返して行っており、図４（ｃ）では、図４（ａ）と同じく上方向への動作を行った後、反対方向への動作を行っているが、タイミングｔ１より以前のタイミングにおいて動作を停止し、その後、動作を停止した状態を継続させている。
【００４１】
判別部３４は、動作情報５０を参照する。判別部３４は、例えば操作検知部３２により操作が検知されたタイミングｔ１において動作を停止させたユーザーを検出する。図４の例では、図４（ａ）に示される動作を行ったユーザーが操作部７ａに対する操作を行ったと判別される。
【００４２】
情報処理端末３ａ、３ｂ、３ｃのそれぞれから動作情報５０を取得する場合、判別部３４は、それぞれの動作情報５０を参照して、情報処理端末３ａ、３ｂ、３ｃのうち、一の情報処理端末３を装着するユーザーが操作部７ａに対する操作を行ったと判別する。
【００４３】
図２に戻り、判別部３４により操作部７ａを操作したユーザーが判別された場合、許可決定部３６が機能する。許可決定部３６は、記憶部１２に記憶されている権限情報５２に基づいて、操作部７ａに対する操作に応じた処理を許可するか否かを判定する処理部である。許可決定部３６は、権限情報５２を参照して、判別部３４により操作を行ったと判別されたユーザーに対応する操作権限を参照する。そして、許可決定部３６は、操作検知部３２により検知された操作が、当該ユーザーの操作権限に含まれる場合、操作に応じた処理を許可する。他方、操作検知部３２により検知された操作が、当該ユーザーの操作権限に含まれない場合、操作に応じた処理を許可しない。
【００４４】
許可決定部３６は、判別部３４により操作部７ａを操作したユーザーが判別されない場合、操作部７ａに対する操作に応じた処理を許可しない。判別部３４により操作部７ａを操作したユーザーが判別されない場合に操作に応じた処理を許可すると、いずれのユーザーか判別できない者による操作に応じた処理を実行することになる。そこで、許可決定部３６は、操作に応じた処理を許可しないこととして、権限情報５２に規定されるルールを厳格に遵守するのである。
【００４５】
許可決定部３６により操作に応じた処理が許可されると、ジョブ実行部３８が機能する。ジョブ実行部３８は、操作部７ａに対する操作に応じた処理を実行する処理部である。ジョブ実行部３８は、許可決定部３６により操作に応じた処理が許可された場合に、操作に応じた処理を実行する。一例として、表示部７ｂに表示される画像をプリンタ部２０に印刷出力させる。
【００４６】
許可決定部３６により操作に応じた処理が許可されない場合、ジョブ実行部３８は、操作に応じた処理を実行しない。操作に応じた処理が許可されない場合に、表示制御部４２が機能して、表示部７ｂに操作に応じた処理が実行されない旨を報知する報知画像を表示させてもよい。
【００４７】
判別部３４により操作部７ａに対する操作を行ったユーザーが複数検出された場合、動作要求部４０が機能する。動作要求部４０は、判別部３４により動作情報５０に基づいて複数のユーザーが操作部７ａに対する操作を行ったと判別される場合に、複数のユーザーが装着する情報処理端末３に対して所定の動作を要求する処理部である。
【００４８】
図４の例に示した動作情報５０において、操作部７ａに対する操作が検知されたタイミングｔ１で、それ以前の動作を停止させたユーザーが複数存在した場合、判別部３４はこれら複数のユーザーが操作部７ａに対する操作を行ったものと判別する。しかしながら、図４に示す動作情報５０は、所定方向に対する加速度（ａ）を検知して取得されたものである。そのため、操作部７ａを操作していないユーザーであっても、所定方向に対する加速度（ａ）が検知され、且つ、タイミングｔ１において動作を停止させる場合があり得る。そうすると、操作部７ａに対する操作を行っていないユーザーであっても、判別部３４により操作部７ａに対する操作を行ったと判別される事態が生じるのである。
【００４９】
例えば判別部３４によりユーザーＡ及びユーザーＢが操作部７ａに対する操作を行ったと判別された場合、動作要求部４０は、ユーザーＡが装着する情報処理端末３ａと、ユーザーＢが装着する情報処理端末３ｂに対して、所定動作の要求を送信する。後述するように、情報処理端末３は、指示に応じて振動動作を行う振動部７０を備える。情報処理端末３ａ及び３ｂが画像処理装置２からの要求を受信すると、振動部７０に振動動作を行わせる。そして、情報処理端末３ａ及び３ｂは、画像処理装置２に対して動作情報５０を送信する。
【００５０】
情報処理端末３ａ及び３ｂが振動すると、操作部７ａに接触しているユーザーの指などがこれに応じて振動する。操作検知部３２は、操作部７ａに接触した状態における軌跡を検知する。動作要求部４０により情報処理端末３ａ及び３ｂに対して所定動作が要求された場合に、判別部３４は、情報処理端末３ａ及び３ｂから受信する動作情報５０と、操作検知部３２により検知される軌跡とに基づいて、操作部７ａに対する操作を行ったユーザーを再判別する。
【００５１】
判別部３４により操作部７ａに対する操作を行ったユーザーが複数検出された場合、上述した例とは異なり、表示制御部４２が機能してもよい。この場合、表示制御部４２は、ユーザーに対する所定の動作を指示する動作指示画像Ｄ１を表示させる。図５は、表示部７ｂに動作指示画像Ｄ１が表示される場合の画面構成の一例を示す図である。図５では、タッチパネル７の画面Ｇ１内に、画像Ｄ１０及び画像Ｄ１２が表示されている。そして、ユーザーＡ及びユーザーＢが、同時に画像Ｄ１０及び画像Ｄ１２をそれぞれ操作したために、タイミングｔ１において動作を停止したことを示す動作情報５０が画像処理装置２に取得される。この場合、画面Ｇ１内における画像Ｄ１０の近傍に、所定の動作を指示する動作指示画像Ｄ１が表示される。これにより、画像Ｄ１０の表示位置において操作部７ａを操作したユーザーに対して、所定の動作を行うよう指示が行われる。図例では、動作指示画像Ｄ１はタッチパネル７においてスライド動作を行うよう指示するが、これとは異なり、タッチパネル７上においてタップするよう指示してもよい。
【００５２】
動作指示画像Ｄ１に応じた操作をユーザーＡが行うと、ユーザーＡが装着する情報処理端末３ａは、動作指示画像Ｄ１における指示に応じた動作を示す動作情報５０を取得する。動作情報５０が取得されると、情報処理端末３ａは画像処理装置２に対して動作情報５０を送信する。情報処理端末３ａから動作情報５０を受信すると、判別部３４は受信された動作情報５０を参照する。判別部３４は、動作情報５０が動作指示画像Ｄ１における指示に対応する動作を示す場合、ユーザーＡが画像Ｄ１０を操作したユーザーであると判別する。
【００５３】
図５の例では、画像Ｄ１０の近傍にのみ動作指示画像Ｄ１を表示する場合を示した。これとは異なり、画像Ｄ１０及び画像Ｄ１２の両者の近傍に、それぞれ動作指示画像Ｄ１を表示させてもよい。この場合、好ましくは、各動作指示画像Ｄ１は互いに異なる動作指示を表示する。これにより、ユーザーＡ及びユーザーＢのそれぞれから動作情報５０を取得できる。そのため、画像処理装置２は、タッチパネル７上の画像Ｄ１０及び画像Ｄ１２に対応する操作部７ａを、それぞれどのユーザーが操作したのか判別することができる。
【００５４】
図２に戻り、ＣＰＵ１０はユーザー認証を行う認証部４３として機能してもよい。認証部４３は、ユーザーによる認証要求に対して認証を行う処理部である。本実施形態において、情報処理端末３とこれを使用するユーザーとが予め対応付けられていてもよい。例えば、情報処理端末３ａはユーザーＡにより装着され、情報処理端末３ｂはユーザーＢにより装着され、情報処理端末３ｃはユーザーＣにより装着されると予め対応付けられてもよい。これとは異なり、情報処理端末３とユーザーとが予め対応付けられていない場合には、認証を行う際に情報処理端末３と、情報処理端末３を装着するユーザーとを対応付けることが必要となる。この場合、認証部４３は、ユーザーによる認証要求が入力されると、表示制御部４２を機能させる。表示制御部４２は、表示部７ｂに所定の動作を行うことを指示する動作指示画像Ｄ１を表示させる。
【００５５】
図６は、ユーザー認証が行われる場合の画面構成の一例を示す図である。図６（ａ）は、ユーザーが操作部７ａを操作することにより画像処理装置２に対して認証要求を入力する入力画面の一例である。表示部７ｂの画面Ｇ１内に、予め各ユーザーに対応付けられているユーザーＩＤを入力する入力欄と、各ユーザーにより設定されているパスワードを入力する入力欄とが表示される。
【００５６】
ユーザーＩＤ及びパスワードがユーザーにより入力され、ログイン要求が入力されると、図６（ｂ）に示すように、画面Ｇ１内に所定動作を指示する動作指示画像Ｄ１が表示される。図例では、タッチパネル７に接触した状態で所定の動作を行うことを指示する動作指示画像Ｄ１が表示されている。ユーザーにより所定の動作が行われると、認証部４３は、操作検知部３２により検知される軌跡と、情報処理端末３から受信する動作情報５０に基づいて、当該情報処理端末３をいずれのユーザーが装着しているのかを検知する。動作指示画像Ｄ１の指示に対応する動作が検知されない場合、認証部４３はログインを許可しない。
【００５７】
認証部４３は、情報処理端末３と、これを装着するユーザーとの対応付けを行うと、ユーザーによるログインを認証する。これにより、予め情報処理端末３とユーザーとの対応付けが行われていない場合に、ユーザー認証時に情報処理端末３とユーザーとの対応付けを行うことが可能となる。
【００５８】
なお、これとは異なり、予め情報処理端末３とユーザーとの対応付けが済んでいる場合において、ユーザー認証の際に動作指示画像Ｄ１を画面Ｇ１内に表示させ、所定の動作を行わせることにより、ユーザーの動作を良好に検知可能な部位に情報処理端末３を装着しているか否かを判定することができる。すなわち、動作指示画像Ｄ１を画面Ｇ１内に表示させてから所定時間内に、動作指示画像Ｄ１の指示に対応する動作が検知されない場合、ユーザーの動作を良好に検知することが困難な部位に情報処理端末３が装着されている可能性がある。このような場合、認証部４３は、表示制御部４２を機能させて、情報処理端末３の装着部位の指示を含む指示画像を表示部７ｂに表示させてもよい。
【００５９】
次に、情報処理端末３の構成を説明する。図７は、情報処理端末３のハードウェア構成及び機能構成の一例を示すブロック図である。情報処理端末３は、ＣＰＵ６０と、メモリなどにより構成される記憶部６２と、画像処理装置２との通信におけるインタフェースとなる通信インタフェース６４と、加速度センサー６６と、モーターなどにより構成される振動部７０とを備える。
【００６０】
ＣＰＵ６０は、振動部７０を振動させる振動制御部８０と、画像処理装置２から送信された動作要求を受け付ける動作要求受信部８２と、加速度センサー６６により検知される動作情報５０を取得する動作情報取得部８４と、動作情報５０を画像処理装置２に対して送信する送信部８６として機能する。
【００６１】
振動制御部８０は、振動部７０を駆動させ、又は振動部７０の駆動を停止させる処理部である。動作要求受信部８２により動作要求が受け付けられると振動制御部８０が機能して、振動部７０に振動を開始させる。そして、振動開始後所定時間が経過すると、振動制御部８０は振動部７０を停止させる。これにより、情報処理端末３が所定時間振動する。
【００６２】
動作情報取得部８４は、加速度センサー６６により検知される加速度に基づき動作情報５０を取得する処理部である。動作情報取得部８４は、動作情報５０を取得すると記憶部６２に格納する。加速度センサー６６は、地磁気センサーからの出力に基づいて現在の姿勢を検知可能である。図８は、加速度センサー６６により検知される３軸方向の一例を示す図である。
【００６３】
加速度センサー６６は、ｚ軸方向（上方向）における加速度成分（ａ）に加え、ｘ軸方向における加速度成分及びｙ軸方向における加速度成分をそれぞれ算出可能である。そのため、図９に示すように、タッチパネル７画像処理装置２において立設される場合にも、加速度センサー６６を適用可能である。すなわち、加速度センサー６は、図８に示すようにｘ軸、ｙ軸方向における加速度成分を算出するため、ユーザーがタッチパネル７に接触するため水平方向に移動する際の加速度も検知可能である。そうすると、動作情報取得部８４は、加速度センサー６６により検知された上下方向（ｚ軸方向）及び水平方向（ｘ軸方向及びｙ軸方向）における加速度を含む動作情報５０をそれぞれ取得する。これらの動作情報５０は送信部８６により画像処理装置２に送信され、動作情報５０を受信した画像処理装置２は、いずれのユーザーが立設されるタッチパネル７に対して接触操作を行ったのか判別可能である。
【００６４】
図７に戻り、送信部８６は、動作情報取得部８４により取得される動作情報５０を画像処理装置２に送信する処理部である。本実施形態において送信部８６は、画像処理装置２から動作情報５０の要求を受信すると、記憶部６２に記憶されている動作情報５０を画像処理装置２に送信する。これとは異なり、送信部８６は、所定時間毎に動作情報５０を画像処理装置２に送信してもよい。さらに、送信部８６は、動作情報取得部８４により動作情報５０が取得される毎に画像処理装置２に送信してもよい。
【００６５】
次に、本実施形態の画像処理システム１において行われる処理手順を説明する。図１０は、画像処理システム１を構成する画像処理装置２において行われる主要な処理手順の一例を示すフローチャートである。まず、画像処理装置２は、情報処理端末３からのログイン要求を受信したか否かを判定する（ステップＳ１）。そして、ログイン要求を受信した場合（ステップＳ１でＹＥＳ）、ログインの許可等を行うログイン処理を実行する（ステップＳ３）。ログイン処理（ステップＳ３）の具体的な処理手順については後述する。ログイン要求を受信しなかった場合（ステップＳ１でＮＯ）、ログイン処理（ステップＳ３）をスキップする。
【００６６】
次に画像処理装置２は、タッチパネル７に対する操作を検知したか否かを判定する（ステップＳ５）。タッチパネル７に対する操作を検知した場合（ステップＳ５でＹＥＳ）、操作を行ったユーザーを判別する操作検知処理（ステップＳ７）を実行する。操作検知処理（ステップＳ７）の具体的な処理手順については後述する。他方、タッチパネル７に対する操作を検知しなかった場合（ステップＳ５でＮＯ）、操作検知処理（ステップＳ７）をスキップする。画像処理装置２は、ステップＳ７を実行すると、ステップＳ１に戻り、ステップＳ１乃至Ｓ７までの処理を繰り返し実行する。
【００６７】
図１１は、ログイン処理（図１０のステップＳ３）の具体的な処理手順の一例を示すフローチャートである。画像処理装置２は、ユーザーに所定の動作を行うよう指示する動作指示画像Ｄ１を、タッチパネル７に表示させ（ステップＳ１０）。次に、画像処理装置２は、情報処理端末３に対して動作情報５０の要求を送信する（ステップＳ１２）。
【００６８】
画像処理装置２は、情報処理端末３から動作情報５０を受信したか否かを判定する（ステップＳ１４）。動作情報５０を受信した場合（ステップＳ１４でＹＥＳ）、さらに動作情報５０は動作指示画像Ｄ１に対応した動作を示すものであるか否かを判定する（ステップＳ１６）。動作情報５０が動作指示画像Ｄ１に対応した動作を示す場合（ステップＳ１６でＹＥＳ）、画像処理装置２は情報処理端末３を装着するユーザーによるログインを許可する（ステップＳ１８）。
【００６９】
ステップＳ１４において動作情報５０を受信しなかった場合（ステップＳ１４でＮＯ）、画像処理装置２は所定時間が経過したか否かを判定し（ステップＳ２０）、所定時間が経過していない場合（ステップＳ２０でＮＯ）、所定時間が経過するまでの間、待機する。他方、所定時間が経過した場合（ステップＳ２０でＹＥＳ）、画像処理装置２は情報処理端末３を装着するユーザーによるログイン要求を不許可として（ステップＳ２２）ログイン処理を終了させる。ステップＳ１６において、情報処理端末３から受信した動作情報５０が動作指示画像Ｄ１に対応した動作を示すものではない場合（ステップＳ１６でＮＯ）、画像処理装置２は情報処理端末３を装着するユーザーのログイン要求を不許可とする（ステップＳ２２）。
【００７０】
図１２は、操作検知処理（図１０のステップＳ７）の具体的な処理手順の一例を示すフローチャートである。画像処理装置２は、情報処理端末３に対して動作情報５０を要求する（ステップＳ３０）。次に、画像処理装置２は、情報処理端末３から動作情報５０を受信したか否かを判定する（ステップＳ３２）。情報処理端末３から動作情報５０を受信した場合（ステップＳ３２でＹＥＳ）、タッチパネル７に対する操作検知タイミングに対応する動作情報５０があるか否かを判定する（ステップＳ３４）。操作検知タイミングに対応する動作情報５０がある場合（ステップＳ３４でＹＥＳ）、さらに画像処理装置２は、操作検知タイミングに対応する動作情報５０が、一台の情報処理端末３から送信された動作情報５０だけであるか、或いは複数の情報処理端末３から送信された動作情報５０であるかを判定する（ステップＳ３６）。操作検知タイミングに対応する動作情報５０が一台の情報処理端末３から送信された動作情報５０だけである場合（ステップＳ３６でＹＥＳ）、画像処理装置２は、タッチパネル７を操作したユーザーを判別する（ステップＳ３８）。他方、操作タイミングに対応する動作情報５０が複数の情報処理端末３から送信された動作情報５０である場合（ステップＳ３６でＮＯ）、画像処理装置２は、複数の情報処理端末３に対して追加的に動作情報５０を要求する追加動作情報要求処理（ステップＳ４０）を実行する。追加動作情報要求処理（ステップＳ４０）の具体的な処理手順は後述する。
【００７１】
ステップＳ３２において、情報処理端末３から動作情報５０を受信しなかった場合（ステップＳ３２でＮＯ）、又は、ステップＳ３４において、受信された動作情報５０の中に、操作検知タイミングに対応する動作を示す動作情報５０がない場合（ステップＳ３４でＮＯ）、ステップＳ３６乃至Ｓ４０の処理をスキップする。最後に、画像処理装置２は、タッチパネル７に対する操作に基づく処理を許可する許可処理（ステップＳ４２）を実行して操作検知処理を終了させる。許可処理（ステップＳ４２）の具体的な処理手順は後述する。
【００７２】
図１３は、追加動作情報要求処理（図１２のステップＳ４０）の具体的な処理手順の一例を示すフローチャートである。まず、画像処理装置２は、追加的な動作情報５０の要求を情報処理端末３に送信する（ステップＳ５０）。この場合に、追加的な動作情報５０の要求の送信先となる情報処理端末３は、操作検知タイミングに対応する動作情報５０を送信した情報処理端末３である。次に、画像処理装置２は、タッチパネル７の画面Ｇ１に動作指示画像Ｄ１を表示させる。
【００７３】
そして、画像処理装置２は、情報処理端末３から追加的に動作情報５０を受信したか否かを判定する（ステップＳ５４）。追加的に動作情報５０を受信した場合（ステップＳ５４でＹＥＳ）、画像処理装置２は、さらに、受信した動作情報５０が画面Ｇ１に表示された動作指示画像Ｄ１に対応する動作を示すものであるか否かを判定する（ステップＳ５６）。動作指示画像Ｄ１に対応する動作を示す動作情報５０であると判定した場合（ステップＳ５６でＹＥＳ）、画像処理装置２はタッチパネル７において操作を行ったユーザーを判別して（ステップＳ５８）、追加動作情報要求処理を終了させる。
【００７４】
画像処理装置２が追加的に動作情報を受信しない場合（ステップＳ５４でＮＯ）、所定時間が経過したか否かをさらに判定し（ステップＳ６０）、所定時間が経過するまでの間、待機する（ステップＳ６０でＮＯ）。追加的な動作情報を受信しない状態で所定期間が経過すると（ステップＳ６０でＹＥＳ）、画像処理装置２はステップＳ５６及びＳ５８をスキップして追加動作情報要求処理を終了させる。
【００７５】
ステップＳ５６において、受信した動作情報５０が動作指示画像Ｄ１に対応する動作を示すものでないと判断した場合（ステップＳ５６でＮＯ）、画像処理装置２はステップＳ５８をスキップして追加動作情報要求処理を終了させる。
【００７６】
図１４は、許可処理（図１２のステップＳ４２）の具体的な処理手順の一例を示すフローチャートである。画像処理装置２はまず、タッチパネル７において操作を行ったユーザーの判別が済んでいるか否かを判定する（ステップＳ７０）操作を行ったユーザーの判別が済んでいる場合（ステップＳ７０でＹＥＳ）、記憶部１２に予め記憶される権限情報５２を読み出して参照する（ステップＳ７２）。
【００７７】
権限情報５２を参照すると、画像処理装置２は、操作を行ったユーザーが操作に応じた処理を行う権限を備えているか否かを判定する（ステップＳ７４）。ユーザーに権限が備えられている場合（ステップＳ７４でＹＥＳ）、画像処理装置２は操作に応じた処理を許可する（ステップＳ７６）。そして、操作に応じた処理を実行して（ステップＳ７８）許可処理を終了させる。
【００７８】
他方、権限情報５２を参照して、操作を行ったユーザーが操作に応じた処理を行う権限を備えていない場合（ステップＳ７４でＮＯ）、画像処理装置２は、操作に応じた処理の実行を許可しない（ステップＳ８０）。そして、例えばタッチパネル７に、当該操作が無効であることを報知して（ステップＳ８２）許可処理を終了させる。これにより、ユーザーは、タッチパネル７における操作に応じた処理が実行されなかったことを認識する。ステップＳ７０において、タッチパネル７における操作を行ったユーザーが判別済みでない場合（ステップＳ７０でＮＯ）、画像処理装置２は、操作に応じた処理を許可することなく（ステップＳ８０）、操作が無効であることをタッチパネル７等において報知させて（ステップＳ８２）許可処理を終了させる。これにより、権限を備えることが明らかではない者による操作に基づく処理を防止することができるのである。
【００７９】
図１５は、本実施形態における画像処理システム１を構成する情報処理端末３において行われる処理手順の一例を示すフローチャートである。まず、情報処理端末３は起動すると（ステップＳ１００）、動作情報５０を取得して記憶部６２に格納する（ステップＳ１０２）。そして、動作情報５０が取得されて所定時間が経過したか否かを判定する（ステップＳ１０４）。所定時間が経過した場合（ステップＳ１０４でＹＥＳ）、情報処理端末３は、取得されてから所定時間が経過した古い動作情報５０を記憶部６２から消去する（ステップＳ１０６）。所定時間が経過していない場合（ステップＳ１０４でＮＯ）、ステップＳ１０６をスキップする。
【００８０】
次に、情報処理端末３は、画像処理装置２から動作情報５０の要求を受信したか否かを判定する（ステップＳ１０８）。動作情報５０の要求を受信した場合（ステップＳ１０８でＹＥＳ）、記憶部６２に記憶されている動作情報５０を画像処理装置２に対して送信する（ステップＳ１１０）。他方、画像処理装置２から動作情報５０の要求を受信しなかった場合（ステップＳ１０８でＮＯ）、ステップＳ１１０をスキップする。
【００８１】
さらに、情報処理端末３は、画像処理装置２から追加的な動作情報５０の要求を受信したか否かを判定する（ステップＳ１１２）。動作情報５０の要求を受信した場合（ステップＳ１１２でＹＥＳ）、情報処理端末３は記憶部６２に記憶されている動作情報５０を取得して（ステップＳ１１４）画像処理装置２に対して送信する（ステップＳ１１６）。追加的に動作情報５０の要求を受信しなかった場合（ステップＳ１１２でＮＯ）、情報処理端末３はステップＳ１１４及びＳ１１６の処理をスキップする。最後に、情報処理端末３は、起動を終了させる指示を検知したか否かを判定し（ステップＳ１１８）、起動を終了させる指示を検知した場合（ステップＳ１１８でＹＥＳ）、起動を終了させる。他方、起動を終了させる指示を検知しなかった場合（ステップＳ１１８でＮＯ）、ステップＳ１０２に戻り、起動を終了させる指示を検知するまで、ステップＳ１０２乃至Ｓ１１８の処理を繰り返し実行する。
【００８２】
（変形例）
以上、本発明に関する一実施形態を説明したが、本発明は上記実施形態において説明した内容のものに限られるのではなく、種々の変形例が適用可能である。
【００８３】
上記実施形態において、情報処理端末３が画像処理装置２に対して動作情報５０を送信し、画像処理装置２が操作部７ａを操作したユーザーを判別する場合を示した。しかし、本発明はこれに限られない。例えば画像処理装置２は、操作部７ａに対する操作をタイミングｔ１において検知すると、通信可能な情報処理端末３に対して操作ユーザーの問い合わせを送信してもよい。そして、問い合わせを受信すると、情報処理端末３は各々記憶している動作情報５０に基づいて、タイミングｔ１において所定の動作を停止させたか否かを判定する。判定が行われると、情報処理端末３は判定結果を画像処理装置２に対して送信する。判定結果を受信した画像処理装置２は、受信された判定結果に基づいて操作を行ったユーザーを判別する。
【００８４】
上記実施形態において、画像処理装置２が操作に応じた処理を許可するか否か判定する場合を示したが、本発明はこれに限られず、操作部７ａを操作したユーザーが判別されると、許可の有無にかかわらず、ジョブ実行部３８は操作に応じた処理を実行してもよい。
【符号の説明】
【００８５】
１      画像処理システム
２      画像処理装置
３      情報処理端末
７      タッチパネル
７ａ    操作部
３０    動作情報管理部（動作情報管理手段）
３２    操作検知部（操作検知手段）
３４    判別部（判別手段）
３６    許可決定部（許可判定手段）
３８    ジョブ実行部
４０    動作要求部（動作要求手段）
４２    表示制御部（表示制御手段）
５０    動作情報
５２    権限情報
７０    振動部（振動手段）
８０    振動制御部（振動生成手段）
８２    動作要求受信部
８４    動作情報取得部（動作情報取得手段）
８６    送信部（送信手段）
Ｄ１    動作指示画像
【図１】
2018157354.tif 000003
【図２】
2018157354.tif 000004
【図３】
2018157354.tif 000005
【図４】
2018157354.tif 000006
【図５】
2018157354.tif 000007
【図６】
2018157354.tif 000008
【図７】
2018157354.tif 000009
【図８】
2018157354.tif 000010
【図９】
2018157354.tif 000011
【図１０】
2018157354.tif 000012
【図１１】
2018157354.tif 000013
【図１２】
2018157354.tif 000014
【図１３】
2018157354.tif 000015
【図１４】
2018157354.tif 000016
【図１５】
2018157354.tif 000017